(57)【要約】【課題】大径竿管内に小径竿管を収納したときに、この小径竿管の外面に傷が付くのを防止する釣竿を提供すること【解決手段】中竿管８を収納する元竿管１０を備え、この元竿管１０が、一端側に形成した小径内孔部と他端側に形成した大径内孔部との間の中間部に、内面側に突出する勾配変換部Ｔを形成し、この勾配変換部は最内層に柔軟部材１６を有する釣竿。【選択図】    図３
2004229589.tif 000002
【特許請求の範囲】
【請求項１】
細径竿管を収納する大径竿管を備え、この大径竿管が、一端側に形成した小径内孔部と他端側に形成した大径内孔部との間の中間部に、内面側に突出する勾配変換部を形成した釣竿であって、前記勾配変換部は最内層に柔軟部材を有することを特徴とする釣竿。
【請求項２】
前記勾配変換部は、大径竿管の一端から３／４の範囲に形成され、１０／１０００以上の大きさで勾配が変換されることを特徴とする請求項１に記載の釣竿。
【請求項３】
前記大径竿管は、前記一端の最内層に柔軟部材を有することを特徴とする請求項１又は２に記載の釣竿。
【請求項４】
前記一端の最内層に設けられた柔軟部材は、勾配変換部の最内層に設けられた柔軟部材と同等か、それよりも硬度が低いことを特徴とする請求項３に記載の釣竿。
【発明の詳細な説明】
【０００１】
【発明の属する技術分野】
本発明は、釣竿に関し、特に、細径竿管を収容する大径竿管を備え、この大径竿管が、一端側に形成した小径内孔部と他端側に形成した大径内孔部との間の中間部に、内面側に突出する勾配変換部を形成した釣竿に関する。
【０００２】
【従来の技術】
一般に、強化繊維に合成樹脂を含浸させたプリプレグを巻回することで形成した竿管には、中間部から拡径させて竿尻側に大径の握り部を形成した釣竿がある（例えば特許文献１参照）。この釣竿では、管径の変化率の大きな部位で本体プリプレグの合成樹脂含浸量を少なくすることで、加熱成形時の樹脂流動を抑制し、強度低下の防止と軽量化とを図る。
【０００３】
また、緩いテーパで形成された竿管部の後部に、急テーパ部による大径部を形成し、この大径部に竿尻キャップを螺合した釣竿がある（例えば特許文献２参照）。この釣竿は、竿管部と急テーパ部とのそれぞれの長さとテーパとを所定の大きさに設定することにより、内部に収容した中竿の後端と竿尻キャップとの接触を防止する。
【０００４】
【特許文献１】
特開平９−１８２５４７号公報
【０００５】
【特許文献２】
実開平４−９４９６７号公報
【０００６】
【発明が解決しようとする課題】
しかし、従来の釣竿は、管径の変化率の大きな部位が竿管の内部に角部を形成するため、これよりも細径の竿管を収納したときに、この角部に接触して竿管の外面が傷付く虞がある。特に、釣竿の細径化および軽量化を追及した釣竿の場合には、元竿の外径も細く、このため竿尻側の握り部あるいは尻栓キャップを螺合する大径部を握り易い大きさに形成する場合には、このような角部により、内部に収容した竿管がより傷付き易くなる。
【０００７】
本発明は、このような事情に基づいてなされたもので、大径竿管内に小径竿管を収納したときに、この小径竿管の外面に傷が付くのを防止する釣竿を提供することを目的とする。
【０００８】
【課題を解決するための手段】
上記目的を達成するため、本発明によると、細径竿管を収納する大径竿管を備え、この大径竿管が、一端側に形成した小径内孔部と他端側に形成した大径内孔部との間の中間部に、内面側に突出する勾配変換部を形成した釣竿であって、前記勾配変換部は最内層に柔軟部材を有する釣竿が提供される。
【０００９】
【発明の実施の形態】
図１から図４は本発明の好ましい実施形態による釣竿の大径竿管を示す。
本実施形態の大径竿管は、これよりも細径の竿管８を収納可能な振出し式釣竿（図２参照）の元竿管１０として形成してあり、この竿管８を振り出した状態では、基端部８Ａの補強されかつ膨出形成された嵌合部が、元竿管１０の先端部の内周に摩擦係合する。更に、この中竿管８内にも、これよりも細径の図示しない竿管が順に収納され、振り出したときに長尺の釣竿を形成する。
【００１０】
このような大径の元竿管１０は、強化繊維に合成樹脂を含浸した繊維強化プリプレグ（以下、単にプリプレグと称する）を芯金に巻回して形成した本体層１１を備える。このようなプリプレグは、強化繊維として例えばカーボン繊維あるいはガラス繊維等を用いるのが好ましく、強化繊維に含浸する樹脂としては、例えばエポキシ樹脂、ポリエステル樹脂、フェノール樹脂等の熱硬化性樹脂が好ましく、ポリアミド等の熱可塑性樹脂を混在させてもよい。通常は、このようなプリプレグを硬化して形成した本体層１１は、日本工業規格に規定する鉛筆硬度で約８Ｈ程度の硬さに形成される。
【００１１】
本実施形態の元竿管１０は、例えば１０〜２０ｍｍの径である小径内孔部を形成する先端側部位１２から、急傾斜部１４を介して、例えば２３〜２５ｍｍの径である大径内孔部を形成する後端側部位１６に滑らかに移行させ、一般的には大きさが定められている尻栓６に対応した竿径に形成してある。このような急傾斜部１４を元竿管１０の中間部に設けることにより、例えば鮎竿のように細径化・軽量化が望まれている釣竿の竿尻を大径化し、握持性を良好にすると共に、規格寸法の尻栓６を採用することができる。なお、大径部１６は好適な握持性を形成するものであれば適宜の勾配に形成することが可能であり、通常は、２０／１０００〜５０／１０００程度に形成される。
【００１２】
図１に示すように、例えば０．３／１０００〜２／１０００程度の勾配の小さな先端側部位１２から例えば１０／１０００〜１００／１０００程度の急勾配を形成する急傾斜部１４に変化する勾配変換部Ｔが、この元竿管１０の内面側に突出し、角部を形成する。この勾配変換部Ｔが元竿管１０の例えば約１３５０ｍｍの全長Ｌに対して、先端から（３／４）Ｌの位置よりも先端側に位置する場合、この勾配変換部Ｔが内部に収納した中竿管８の外面を傷付ける可能性が大きい。
【００１３】
これは、元竿管１０内で、これに収容された中竿管８が移動し、そのときに中竿管８の外面が勾配変換部Ｔから衝撃を受けるためである。このような中竿管８の外面に塗膜が形成されている場合、塗膜の高度は、鉛筆硬度で約Ｈ−２Ｈ程度であるため、元竿管１０の本体層１１よりも柔らかい。特に、軽量化等を図るために最外層の塗膜が薄い場合には、傷が塗膜を貫通して中竿管８の本体まで達する可能性もある。また、鉛筆硬度で８Ｈ程度に表面を化学研磨された無塗装の中竿管８の場合であっても、鋭い角部を形成する勾配変換部Ｔとの衝突あるいは摩擦で傷が発生する可能性がある。
【００１４】
なお、この勾配変換部Ｔが先端から（３／４）Ｌの位置よりも後端側に位置する場合には、元竿管内での中竿管のがたつきが少なく、がたついた場合であっても、膨出形成された基端部８Ａが支えとなって中竿管８の外面に傷が付く可能性は小さい。また、急傾斜部１４の勾配が１０／１０００よりも小さい場合は、内面に形成する角部は鋭くないため、例え勾配変換部Ｔが先端から（３／４）Ｌの位置よりも先端側に位置する場合でも、中竿管８の外面を傷付ける可能性は小さい。
【００１５】
本実施形態では、中竿管８の外面を傷付ける可能性の高い角部を形成する勾配変換部Ｔの最内層に、柔軟部材１６を配置し、元竿管１０の本体層１１と中竿管８とがこの勾配変換部Ｔで直接接触するのを防止している。この柔軟部材１６は、上述のように中竿管８の塗膜よりも硬度を低く形成することにより、表面に塗膜を形成した中竿管８に限らず、表面を化学研磨された無塗装の中竿管に傷をつけることもない。
【００１６】
このような柔軟部材１６は、元竿管１０の本体層１１を形成するプリプレグを図示しない芯金に巻回する前に、上述の勾配変換部Ｔを跨ぐ部位に、１０００〜５０００ｋｇ／ｍｍ２  程度の曲げ弾性率を有する柔軟シートを芯金に直接巻回し、この上に本体層１１を形成する種々のプリプレグを巻回する。この本体層１１を形成するプリプレグは、通常と同様に、繊維方向を軸方向、周方向あるいは傾斜方向に引き揃えた状態で適宜数巻回する。
【００１７】
このような柔軟部材１６は、単独で芯金に巻回する他、本体層１１を形成するプリプレグに重ねた状態で、本体層１１を形成するプリプレグと共に巻回してもよい。いずれの場合も、柔軟部材１６を形成する柔軟シートは、一端が幅５〜５０ｍｍ、これに対向する他端が幅５〜２０ｍｍ、長さは少なくとも１回以上巻回可能な寸法に形成した台形状に形成しておくのが好ましい。また、柔軟シートの厚さは、０．０１〜０．２ｍｍ程度で、特に０．０１〜０．１ｍｍ程度であるのが好ましい。これよりも厚く形成した場合には、強度低下の要因となる皺が本体層１１に形成される可能性が高くなる。
【００１８】
そして、実際に巻回する場合には、幅広側の端部から芯金上に巻きつけることにより、元竿管１０の内面に段差部を形成することなく、容易に巻回することができる。柔軟シートを上述の寸法に形成することにより、元竿管１０の内面には、勾配変換部Ｔを挟んで５〜５０ｍｍの軸方向寸法を有する柔軟部材１６がその全周にわたって形成される。
【００１９】
なお、柔軟部材１６は、上述のような柔軟シートに限らず、内部に収容した中竿管８の外面に傷が付くのを防止できるものであれば、これ以下の弾性率あるいはこれ以下の低硬度を有する合成ゴムあるいは天然ゴム等のゴム材料、塗料等の樹脂材料の他、布、木材等の適宜の材料を用いることも可能である。ゴム材料で形成する場合には、ゴム硬度５０〜９０度程度の値に形成することが好ましい。
【００２０】
更に、元竿管１０の先端部の玉口部Ｂにも、その最内層に柔軟部材１８を配置してある。この柔軟部材１８は、中竿管８の基端部８Ａの合わせ部の長さよりも短くし、中竿管８を振出したときに、この中竿管８と元竿管１０との確実な継合状態を維持することが好ましい。この柔軟部材１８の長さは、１０〜３５ｍｍの範囲で、２５ｍｍ程度に形成することが好ましい。このような柔軟部材１８は、上述の勾配変換部Ｔに配置した柔軟部材１６を形成する柔軟シートと同様な材料から同様な方法で形成することができるが、中竿管８を引き出す際又は収納する際は、比較的大きな衝撃を与えることがあるため、柔軟部材１６と同等か、それよりも硬度を低く形成することが好ましい。
【００２１】
なお、この柔軟部材１８を上述のような柔軟シートで形成する場合には、勾配が小さいため、長方形状の柔軟シートあるいは先縁部が元竿管１０の軸線に直交しかつ後縁部側が傾斜した台形状に形成することが好ましい。また、その長さについても、少なくとも１回以上巻回可能な寸法を有するものであればよいことは上述と同様である。
【００２２】
このように形成した元竿管１０は、勾配変換部Ｔの柔軟部材１６が内部に収容した中竿管８の外面に傷をつけるのを防止し、玉口部Ｂの柔軟部材１８が中竿管８を引出す際および収納する際にその外面に傷を付けるのを防止することにより、釣竿の軽量構造を維持しつつ長期間にわたって中竿管８の表面の損傷を防止することができる。
【００２３】
特に、表面処理を施してない中竿管８の場合、プリプレグの樹脂を安定化するために熱硬化時に巻きつけた緊締テープの螺旋状凹凸が残り、従来では、特に引出す際および収納する際にこの凹凸が勾配変換部Ｔで削られることで生じる損傷が、勾配変換部Ｔに設けた柔軟部材１６によりほぼ確実に防止される。更に、このような凹凸に限らず、表面の塗膜の損傷も防止できるため、特に薄い塗膜が形成されている場合であっても、本体層にまで達するような傷の発生が抑制されるため、中竿管の寿命の延長も可能である。
【００２４】
なお、上述の実施形態では、振出し式釣竿の元竿管１０について説明したが、例えば並継ぎ式の釣竿の場合であっても、内部にこれよりも細径の竿管を収納するものであれば、どのような釣竿にも適用可能である。また、元竿管１０に限らず、例えば２本仕舞と通称されるように、元竿管とこの先に継合される竿管との２本の竿管に交互に細径の竿管を収納する釣竿の場合には、元竿管とこの先に継合される竿管との双方に上述のような柔軟部材１６，１８を設けることができる。この場合、玉口部Ｂの柔軟部材１８は、収納側の竿管の前端部に設けることが好ましい。また、玉口部Ｂの柔軟部材１８を省略することも可能である。
【００２５】
【発明の効果】
以上明らかなように、本発明によると、釣竿の大径竿管内に小径竿管を収納したときに、この小径竿管の外面に傷が付くのを防止することができる。
【図面の簡単な説明】
【図１】本発明の好ましい実施形態による元竿管の断面図。
【図２】図１の元竿管に中竿管を収納した状態の断面図。
【図３】図１の元竿管の勾配変換部の拡大断面図。
【図４】図１の元竿管の玉口部の拡大断面図。
【符号の説明】
１０…元竿管、１１…本体層、１２…先端側部位、１４…急傾斜部、Ｔ…勾配変換部。
【図１】
2004229589.tif 000003
【図２】
2004229589.tif 000004
【図３】
2004229589.tif 000005
【図４】
2004229589.tif 000006